(57)【要約】【解決手段】  １／ｆゆらぎ特性ＲＯＭ３は、パルス列の発生を指示し、ファン駆動パルス生成部５は、上記ファン１／ｆゆらぎ特性ＲＯＭ３の指示に基づいて上記パルス列を出力する。【効果】  １／ｆゆらぎ特性ＲＯＭ３に格納されている１／ｆゆらぎ特性をパルス間隔に換算したデータに従ってファン駆動信号７ａのパルス間隔を制御し、それによって放熱ファン８の風量を１／ｆゆらぎ特性で制御することが出来る。又、所定の直流電圧を印加すれば良く、多段階電圧制御回路が必要なくなる。更に、ファン制御装置全体をディジタル回路で構成出来るためＡＳＩＣ（Application  Specific  ＩＣ）化可能であり、ハードウェア構成を大幅にコストダウンすることが出来る。【選択図】        図１
2005076540.tif 000002
【特許請求の範囲】
【請求項１】
所定の制御特性に従って、時間変化とともに風量を変化させるファン制御装置であって、
前記制御特性に近似するパルス列の発生を指示するパルス信号指示部と、
前記パルス信号指示部の指示に基づいて前記パルス列を出力するパルス信号出力部とを含むことを特徴とするファン制御装置。
【請求項２】
請求項１に記載のファン制御装置に於いて、
前記パルス信号指示部は、
前記制御特性をパルス幅が等しいパルス列のパルス間隔の変化で近似すべく前記パルス列に於ける個々のパルス間隔を格納する記憶部を備え、
前記パルス信号出力部は、
前記記憶部から前記パルス間隔を読み出すデータ読み出し手段と、
該データ読み出し手段が読み出した前記パルス間隔に基づいて前記パルス列を生成するパルス生成手段を備えることを特徴とするファン制御装置。
【請求項３】
請求項１に記載のファン制御装置に於いて、
前記パルス信号指示部は、
前記制御特性をパルス幅が異なるパルス列のパルス間隔の変化で近似すべく前記パルス列に於ける個々のパルス幅と個々のパルス間隔を格納する記憶部を備え、
前記パルス信号出力部は、
前記記憶部から前記パルス幅と前記パルス間隔を読み出すデータ読み出し手段と、該データ読み出し手段が読み出した前記パルス幅と前記パルス間隔に基づいて前記パルス列を生成するオン・オフ制御手段とを備えることを特徴とするファン制御装置。
【請求項４】
請求項２に記載のファン制御装置に於いて、
装置内温度を検出する装置内温度検出手段と、
該装置内温度の変化に基づく風量補正値を算出する補正値算出手段と、
前記データ読み出し手段が読み出したパルス間隔に前記風量補正値を加算したパルス間隔を前記パルス幅生成手段へ出力する補正値加算手段とを更に備えることを特徴とするファン制御装置。
【請求項５】
請求項２に記載のファン制御装置に於いて、
前記パルス信号出力部の出力するパルス列と、パルス幅及びパルス間隔がそれぞれ等しいパルス列を受け入れて、複数個の出力端の少なくとも１出力端から前記パルス信号出力部の出力するパルス列を出力し、残りの出力端から前記パルス幅及びパルス間隔がそれぞれ等しいパルス列を出力する出力選択手段を更に備え、
該出力選択手段の出力をそれぞれ複数個の放熱ファンへ供給することを特徴とするファン制御装置。
【請求項６】
請求項１から請求項３までの何れか１項に記載のファン制御装置に於いて、
放熱ファンへ供給する電圧値の異なる複数の電源電圧を受け入れて、所定の電圧値を選択して前記放熱ファンへ供給する電源電圧選択手段を更に備えることを特徴とするファン制御装置。
【請求項７】
請求項１から請求項６までの何れか１項に記載のファン制御装置に於いて、
前記制御特性は、
１／ｆゆらぎ周期成分に基づく風量制御であることを特徴とするファン制御装置。
【発明の詳細な説明】
【技術分野】
【０００１】
本発明は、印刷装置等の放熱ファンによる騒音の発生を防止するファン制御装置に関する。
【背景技術】
【０００２】
電子写真方式の印刷装置等では、感光ドラム上にトナー像を形成し、このトナー像を印刷媒体上に転写し、更に、トナー像が転写された印刷媒体をヒートローラで定着し、出力画像を得ている。かかる印刷装置では、画像品質向上のために、ヒートローラの正確な温度制御が求められる。そのため、装置内部で発生する熱を排出するための放熱ファンが配置されている。この放熱ファンから風切り音が発生する。
【０００３】
この風切り音が耳障りな騒音になる場合が多い。しかし、この風切り音を完全に取り除くことは不可能である。そこで、風切り音が耳障りな騒音にならないようにすべく、放熱ファンへの印加電圧を１／ｆゆらぎの周期成分で制御することにより、風切り音を１／ｆゆらぎにし、耳障りな騒音にならないようにする発明が公開されている（例えば特許文献１）。
【０００４】
ここで１／ｆゆらぎとは、例えばそよ風のように自然界に多く存在するものであり、通常、規則的な周期を持たない変化とか、一定値のまわりに存在する時間的変動であると表現されている。即ち、この１／ｆゆらぎは、そよ風のように多くの人が心地よさを感じるゆらぎであるとされている。
【０００５】
【特許文献１】特開平９−２１２０４４号公報（要約、及び段落００１６）
【発明の開示】
【発明が解決しようとする課題】
【０００６】
上記従来の技術では、風切り音を１／ｆゆらぎで発生させるため、放熱ファンへの印加電圧を１／ｆゆらぎの周期成分で制御している。そのため、多段階電圧制御回路が必要になり、ハードウェアのコストが上昇してしまう。又、制御ファンが複数個配置されている場合であっても１／ｆゆらぎのみで制御しているために装置内部の温度を所定の温度に維持することが困難であった。
かかる課題を解決し、ローコストで、且つ、高性能なファン制御装置を得ることが本発明の目的である。
【課題を解決するための手段】
【０００７】
本発明は以上の点を解決するため次の構成を採用する。
〈構成１〉
所定の制御特性に従って、時間変化とともに風量を変化させるファン制御装置であって、上記制御特性に近似するパルス列の発生を指示するパルス信号指示部と、上記パルス信号指示部の指示に基づいて上記パルス列を出力するパルス信号出力部とを含むことを特徴とするファン制御装置。
【０００８】
〈構成２〉
構成１に記載のファン制御装置に於いて、上記パルス信号指示部は、上記制御特性をパルス幅が等しいパルス列のパルス間隔の変化で近似すべく上記パルス列に於ける個々のパルス間隔を格納する記憶部を備え、上記パルス信号出力部は、上記記憶部から上記パルス間隔を読み出すデータ読み出し手段と、該データ読み出し手段が読み出した上記パルス間隔に基づいて上記パルス列を生成するパルス生成手段を備えることを特徴とするファン制御装置。
【０００９】
〈構成３〉
構成１に記載のファン制御装置に於いて、上記パルス信号指示部は、上記制御特性をパルス幅が異なるパルス列のパルス間隔の変化で近似すべく上記パルス列に於ける個々のパルス幅と個々のパルス間隔を格納する記憶部を備え、上記パルス信号出力部は、上記記憶部から上記パルス幅と上記パルス間隔を読み出すデータ読み出し手段と、該データ読み出し手段が読み出した上記パルス幅と上記パルス間隔に基づいて上記パルス列を生成するオン・オフ制御手段とを備えることを特徴とするファン制御装置。
【００１０】
〈構成４〉
構成２に記載のファン制御装置に於いて、装置内温度を検出する装置内温度検出手段と、該装置内温度の変化に基づく風量補正値を算出する補正値算出手段と、上記データ読み出し手段が読み出したパルス間隔に上記風量補正値を加算したパルス間隔を上記パルス幅生成手段へ出力する補正値加算手段とを更に備えることを特徴とするファン制御装置。
【００１１】
〈構成５〉
構成２に記載のファン制御装置に於いて、上記パルス信号出力部の出力するパルス列と、パルス幅及びパルス間隔がそれぞれ等しいパルス列を受け入れて、複数個の出力端の少なくとも１出力端から上記パルス信号出力部の出力するパルス列を出力し、残りの出力端から上記パルス幅及びパルス間隔がそれぞれ等しいパルス列を出力する出力選択手段を更に備え、該出力選択手段の出力をそれぞれ複数個の放熱ファンへ供給することを特徴とするファン制御装置。
【００１２】
〈構成６〉
構成１から構成３までの何れか１項に記載のファン制御装置に於いて、放熱ファンへ供給する電圧値の異なる複数の電源電圧を受け入れて、所定の電圧値を選択して上記放熱ファンへ供給する電源電圧選択手段を更に備えることを特徴とするファン制御装置。
【００１３】
〈構成７〉
構成１から構成６までの何れか１項に記載のファン制御装置に於いて、上記制御特性は、１／ｆゆらぎ周期成分に基づく風量制御であることを特徴とするファン制御装置。
【発明の効果】
【００１４】
所定の制御特性に近似するパルス列の発生を指示するパルス信号指示部と、パルス信号指示部の指示に基づいて上記パルス列を出力するパルス信号出力部とを備えることによって、ファン制御装置全体をディジタル回路で構成出来るようになり、ハードウェア構成を大幅にコストダウンすることが出来る。更に、上記所定の制御特性を１／ｆゆらぎ特性とすることによって放熱ファンの風切り音から不快感を排除することが出来るという効果を得る。
【発明を実施するための最良の形態】
【００１５】
以下、本発明の実施の形態を図を用いて説明する。
【実施例１】
【００１６】
〈実施例１の構成〉
図１は、実施例１のファン制御装置のブロック図である。
図に示すように実施例１のファン制御装置は、主制御部１と、制御ＲＯＭ２と、１／ｆゆらぎ特性ＲＯＭ３と、ＲＡＭ４と、ファン駆動パルス生成部５と、共通バス６と、ファン駆動部７とを備える。
【００１７】
主制御部１は、共通バス６に接続され、装置全体を制御するＣＰＵ（中央演算制御装置）である。
制御ＲＯＭ２は、共通バス６に接続され、主制御部１が装置全体を制御するために必要なプログラム及びデータが格納されている読み出し専用メモリである。
１／ｆゆらぎ特性ＲＯＭ３は、共通バス６に接続され、放熱ファン８の風量制御の制御特性となる１／ｆゆらぎ特性を、パルス幅が等しく、間隔の異なるパルス列で近似する場合に、該パルス列の間隔データを格納している読み出し専用メモリである。
パルス列の順番に従って、パルス毎に対応するアドレスが設定され、そのアドレスには、直前のパルスとのパルス間隔がシステムクロックの数量に換算して格納されている。
【００１８】
ＲＡＭ４は、共通バス６に接続され、主制御部１が各種制御に必要な一時的なデータを格納するためのランダムアクセスメモリである。
ファン駆動パルス生成部５は、共通バス６に接続され、１／ｆゆらぎ特性ＲＯＭ３に格納されている上記パルス列の間隔データを読み出して、パルス列を生成し、電圧印加指令信号５ｄをファン駆動部７へ送出する部分である。その内部に間隔データリード部５−１と、パルス間隔カウンタ５−２と、一定幅パルス生成部５−３とを有する。
【００１９】
間隔データリード部５−１は、１／ｆゆらぎ特性ＲＯＭ３に向けて、読み出すべきデータの格納アドレス５ａを送出し、１／ｆゆらぎ特性ＲＯＭ３から格納アドレス５ａに格納されているパルスの間隔を表す間隔データ５ｂを読み出して、パルス間隔カウンタ５−２に設定する部分である。この間隔データ５ｂは、システムクロックのクロック数で表されている（一例）。
【００２０】
パルス間隔カウンタ５−２は、間隔データリード部５−１によって設定された設定クロック数（パルス間隔）をシステムクロック周期経過毎に減算するタイマーカウンタである。又、設定されたクロック数（カウント値）に基づいてパルスの間隔を監視し、カウント値が０になるとトリガー信号５ｃを間隔データリード部５−１と一定幅パルス生成部５−３へ送出する部分である。
一定幅パルス生成部５−３は、トリガー信号５ｃを受け入れると、該トリガー信号５ｃに同期させてパルス幅の等しいパルス信号（電圧印加指令信号５ｄ）をファン駆動部７へ送出する部分である。
【００２１】
ファン駆動部７は、ファン駆動パルス生成部５から受け入れた電圧印加指令信号５ｄに基づいて、所定の時間、ファン駆動信号７ａを放熱ファン８へ送ってファンを駆動させる部分である。
共通バス６は、主制御部１、制御ＲＯＭ２、１／ｆゆらぎ特性ＲＯＭ３、ＲＡＭ４、ファン駆動パルス生成部５を相互に接続して信号の伝送路となる信号線である。
【００２２】
〈実施例１の動作〉
図２は、実施例１の動作説明図である。
（ａ）は、放熱ファンの風量変化を示す図であり、縦軸は、放熱ファンの風量を、横軸は時刻を表している。この図に示されている曲線は、本実施例に於いて用いられる１／ｆゆらぎ周期成分に基づく放熱ファンの風量を表している。放熱ファンの風量をこの図のように制御すると、放熱ファンから発せられる風切り音も同様に変化する。従って、この風切り音を聞いても不快感を感じないことになる。
（ｂ）は、（ａ）の部分拡大図であり、（ｃ）は、（ｂ）に示す風量制御を行うためのパルス列（電圧印加指令信号５ｄ（図１））の制御シーケンスを表す図である。
【００２３】
（ｃ）に従って実施例１の動作を説明する。
時刻ｔ１でパルス間隔カウンタ５−２（図１）のカウント値が０になるとトリガー信号５ｃ（図１）が一定幅パルス生成部５−３（図１）と間隔データリード部５−１（図１）へ送出される。
一定幅パルス生成部５−３（図１）は、トリガー信号５ｃを受け入れると、該トリガー信号５ｃに同期させてパルス幅の等しいＮ番目のパルス（電圧印加指令信号５ｄ（図１））をファン駆動部７（図１）へ送出する。ファン駆動部７（図１）は、Ｎ番目のパルスを受け入れると放熱ファン８（図１）に所定の時間、ファン駆動信号７ａ（図１）を送って放熱ファン８（図１）を駆動する。
【００２４】
間隔データリード部５−１（図１）は、トリガー信号５ｃ（図１）を受け入れると、１／ｆゆらぎ特性ＲＯＭ３（図１）に向けて、Ｎ＋１番目のパルスに対応するデータが格納されている格納アドレス５ａ（図１）を送出し、１／ｆゆらぎ特性ＲＯＭ３（図１）から格納アドレス５ａに格納されているパルスの間隔（Ｎ番目のパルスとＮ＋１番目のパルスとの間隔）を表す間隔データ５ｂ（図１）を読み出す。このパルスの間隔は、カウント値としてパルス間隔カウンタ５−２（図１）に設定される。
【００２５】
時刻ｔ２でパルス間隔カウンタ５−２（図１）のカウント値が０になるとトリガー信号５ｃ（図１）が一定幅パルス生成部５−３（図１）と間隔データリード部５−１（図１）へ送出される。
一定幅パルス生成部５−３（図１）は、トリガー信号５ｃを受け入れると、該トリガー信号５ｃに同期させてパルス幅の等しいＮ＋１番目のパルス（電圧印加指令信号５ｄ（図１））をファン駆動部７（図１）へ送出する。ファン駆動部７（図１）は、Ｎ＋１番目のパルスを受け入れると放熱ファン８（図１）に所定の時間、ファン駆動信号７ａ（図１）を送って放熱ファン８（図１）を駆動させる。
【００２６】
間隔データリード部５−１（図１）は、トリガー信号５ｃを受け入れると、１／ｆゆらぎ特性ＲＯＭ３（図１）に向けて、Ｎ＋２番目のパルスに対応するデータが格納されている格納アドレス５ａ（図１）を送出し、１／ｆゆらぎ特性ＲＯＭ３（図１）から格納アドレス５ａ（図１）に格納されているパルスの間隔（Ｎ＋１番目のパルスとＮ＋２番目のパルスとの間隔）を表す間隔データ５ｂ（図１）を読み出す。このパルスの間隔は、クロック数に等しいカウント値としてパルス間隔カウンタ５−２（図１）に設定される。
【００２７】
時刻ｔ３でパルス間隔カウンタ５−２（図１）のカウント値が０になるとトリガー信号５ｃ（図１）が一定幅パルス生成部５−３（図１）と間隔データリード部５−１（図１）へ送出される。
一定幅パルス生成部５−３（図１）は、トリガー信号５ｃ（図１）を受け入れると、該トリガー信号５ｃに同期させてパルス幅の等しいＮ＋２番目のパルス（電圧印加指令信号５ｄ（図１））をファン駆動部７（図１）へ送出する。ファン駆動部７（図１）は、Ｎ＋２番目のパルスを受け入れると放熱ファン８（図１）に所定の時間、ファン駆動信号７ａ（図１）を送って放熱ファン８（図１）を駆動させる。
【００２８】
間隔データリード部５−１（図１）は、トリガー信号５ｃ（図１）を受け入れると、１／ｆゆらぎ特性ＲＯＭ３（図１）に向けて、Ｎ＋３番目のパルスに対応するデータが格納されている格納アドレス５ａ（図１）を送出し、１／ｆゆらぎ特性ＲＯＭ３（図１）から格納アドレス５ａ（図１）に格納されているパルスの間隔（Ｎ＋２番目のパルスとＮ＋３番目のパルスとの間隔）を表す間隔データ５ｂ（図１）を読み出す。このパルスの間隔は、カウント値としてパルス間隔カウンタ５−２（図１）に設定される。
以下同様の動作が繰り返されることになる。
【００２９】
以上説明した動作に関して以下の点に留意すべきである。
ファン駆動部７（図１）は、（ｃ）に於けるパルス列（電圧印加指令信号５ｄ（図１））を受け入れる毎に所定の時間放熱ファン８（図１）を駆動することになる。即ち、（ｃ）に於けるパルス列の間隔が短くなれば放熱ファンの風量は大きくなり、逆にパルス列の間隔が長くなれば放熱ファンの風量は小さくなる。即ち、パルス列のパルス間隔を変化させることによってファンの風量を１／ｆゆらぎの周期成分に近似することが可能になる。
【００３０】
以上の説明において、１／ｆゆらぎ特性ＲＯＭ３（図１）が、請求項中におけるパルス信号指示部に該当する。
又、ファン駆動パルス生成部５（図１）が請求項中におけるパルス信号出力部に該当する。
【００３１】
〈実施例１の効果〉
以上説明したように、本実施例によって、１／ｆゆらぎ特性ＲＯＭ３（図１）に格納されている１／ｆゆらぎ特性をパルス間隔に換算したデータに従ってファン駆動信号７ａのパルス間隔を制御し、それによって放熱ファン８の風量を１／ｆゆらぎ特性で制御することが出来る。又、本実施例では、所定の直流電圧を印加すれば良く、多段階電圧制御回路が必要なくなる。更に、ファン制御装置全体をディジタル回路で構成出来るためＡＳＩＣ（Application Specific ＩＣ）化可能であり、ハードウェア構成を大幅にコストダウンすることが出来るという効果を得る。
【実施例２】
【００３２】
〈実施例２の構成〉
図３は、実施例２のファン制御装置のブロック図である。
図に示すように実施例２のファン制御装置は、主制御部１と、制御ＲＯＭ２と、１／ｆゆらぎ特性ＲＯＭ１３と、ＲＡＭ４と、ファン駆動パルス生成部１５と、共通バス６と、ファン駆動部７とを備える。
【００３３】
１／ｆゆらぎ特性ＲＯＭ１３は、共通バス６に接続され、放熱ファン８の風量制御の制御特性となる１／ｆゆらぎ特性を、パルス幅とパルス間隔が、それぞれ異なるパルス列で近似するための、該パルス列の生成データを格納する読み出し専用メモリである。
その内部には、パルスがオン又はオフする毎に対応する１個のアドレスが設定され、そのアドレスの内部にはパルスがオン又はオフに変化する毎に次の変化に至るまでの間隔が間隔データ１５ｂとして、システムクロックに換算された値で格納されている。
【００３４】
ファン駆動パルス生成部１５は、共通バス６に接続され、１／ｆゆらぎ特性ＲＯＭ１３に格納されている上記パルス列に於ける間隔データを読み出して、パルス列を生成し、電圧印加指令信号１５ｄとしてファン駆動部７へ送出する部分である。その内部に間隔データリード部１５−１と、パルス間隔カウンタ１５−２と、ＯＮ／ＯＦＦ制御部１５−３とを有する。
【００３５】
間隔データリード部１５−１は、１／ｆゆらぎ特性ＲＯＭ１３に向けて、読み出すべきデータの格納アドレス１５ａを送出し、１／ｆゆらぎ特性ＲＯＭ１３から格納アドレス１５ａに格納されている間隔データ１５ｂを読み出して、パルス間隔カウンタ１５−２に設定する部分である。この間隔データ１５ｂは、システムクロックのクロック数で表されている（一例）。
【００３６】
パルス間隔カウンタ１５−２は、間隔データリード部１５−１によって設定された設定クロック数（パルス間隔）をシステムクロック周期経過毎に減算するタイマーカウンタである。設定されたクロック数（カウント値）に基づいてパルス列に於けるオン又はオフに変化する間隔を監視し、カウント値が０になるとトリガー信号１５ｃを間隔データリード部１５−１とＯＮ／ＯＦＦ制御部１５−３へ送出する部分でもある。
【００３７】
ＯＮ／ＯＦＦ制御部１５−３は、トリガー信号１５ｃを受け入れると、該トリガー信号１５ｃに同期させてパルスをオン又はオフに変化させてパルス列を生成する部分である。更に、このパルス列（電圧印加指令信号１５ｄ）をファン駆動部７へ送出する部分でもある。
他の構成要素は、実施例１と全く同様なので説明を省略する。
【００３８】
〈実施例２の動作〉
図４は、実施例２の動作説明図である。
（ａ）は、放熱ファンの風量変化を示す図であり、縦軸は放熱ファンの風量を、横軸は時刻を表している。この図に示されている曲線は、本実施例に於いて用いられる１／ｆゆらぎ周期成分に基づく放熱ファンの風量を表している。放熱ファンの風量をこの図のように制御すると、放熱ファンから発せられる風切り音も同様に変化する。従って、この風切り音を聞いても不快感を感じないことになる。
（ｂ）は、（ａ）の部分拡大図であり、（ｃ）は、（ｂ）に示す風量制御を行うためのパルス列（電圧印加指令信号１５ｄ（図３））の制御シーケンスを表す図である。
【００３９】
（ｃ）に従って実施例２の動作を説明する。
時刻ｔ１でパルス間隔カウンタ１５−２（図３）のカウント値が０になるとトリガー信号１５ｃ（図３）がＯＮ／ＯＦＦ制御部１５−３（図３）と間隔データリード部１５−１（図３）へ送出される。
ＯＮ／ＯＦＦ制御部１５−３（図３）は、トリガー信号１５ｃを受け入れると、該トリガー信号１５ｃに同期させてパルスをオンさせて、電圧印加指令信号１５ｄ（図３）がオフからオンになる変化（「変化Ｎ」）をファン駆動部７（図３）へ送出する。ファン駆動部７（図３）は、「変化Ｎ」を受け入れると放熱ファン８（図３）にファン駆動信号７ａ（図３）を送って放熱ファン８（図３）の駆動を開始する。
【００４０】
間隔データリード部１５−１（図３）は、トリガー信号１５ｃ（図３）を受け入れると、１／ｆゆらぎ特性ＲＯＭ１３（図３）に向けて、「変化Ｎ＋１」に対応するデータが格納されている格納アドレス１５ａを送出し、１／ｆゆらぎ特性ＲＯＭ１３（図３）から格納アドレス１５ａ（図３）に格納されている「変化Ｎ」と「変化Ｎ＋１」との間隔を表す間隔データ１５ｂ（図３）を読み出す。この「変化Ｎ」と「変化Ｎ＋１」との間隔は、カウント値としてパルス間隔カウンタ１５−２（図３）に設定される。
【００４１】
時刻ｔ２でパルス間隔カウンタ１５−２（図３）のカウント値が０になるとトリガー信号１５ｃ（図３）がＯＮ／ＯＦＦ制御部１５−３（図３）と間隔データリード部１５−１（図３）へ送出される。
ＯＮ／ＯＦＦ制御部１５−３（図３）は、トリガー信号１５ｃ（図３）を受け入れると、該トリガー信号１５ｃ（図３）に同期させてパルスをオフさせて電圧印加指令信号１５ｄ（図３）がオンからオフする変化（「変化Ｎ＋１」）をファン駆動部７（図３）へ送出する。ファン駆動部７（図３）は、「変化Ｎ＋１」を受け入れると放熱ファン８（図３）へのファン駆動信号７ａの送出を止めて放熱ファン８（図３）の駆動を停止する。
【００４２】
間隔データリード部１５−１（図３）は、トリガー信号１５ｃ（図３）を受け入れると、１／ｆゆらぎ特性ＲＯＭ１３（図３）に向けて、「変化Ｎ＋２」に対応するデータが格納されている格納アドレス１５ａ（図３）を送出し、１／ｆゆらぎ特性ＲＯＭ１３（図３）から格納アドレス１５ａ（図３）に格納されている「変化Ｎ＋１」と「変化Ｎ＋２」との間隔を表す間隔データ１５ｂ（図３）を読み出す。この「変化Ｎ＋１」と「変化Ｎ＋２」との間隔は、カウント値としてパルス間隔カウンタ１５−２（図３）に設定される。
【００４３】
時刻ｔ３でパルス間隔カウンタ１５−２（図３）のカウント値が０になるとトリガー信号１５ｃ（図３）がＯＮ／ＯＦＦ制御部１５−３（図３）と間隔データリード部１５−１（図３）へ送出される。
ＯＮ／ＯＦＦ制御部１５−３（図３）は、トリガー信号１５ｃ（図３）を受け入れると、該トリガー信号１５ｃ（図３）に同期させてパルスをオンさせて電圧印加指令信号１５ｄ（図３）がオフからオンする変化（「変化Ｎ＋２」）をファン駆動部７（図３）へ送出する。ファン駆動部７（図３）は、「変化Ｎ＋２」を受け入れると放熱ファン８（図３）にファン駆動信号７ａ（図３）を送出し、放熱ファン８（図３）の駆動を開始する。
【００４４】
間隔データリード部１５−１（図３）は、トリガー信号１５ｃ（図３）を受け入れると、１／ｆゆらぎ特性ＲＯＭ１３（図３）に向けて、「変化Ｎ＋３」に対応するデータが格納されている格納アドレス１５ａ（図３）を送出し、１／ｆゆらぎ特性ＲＯＭ１３（図３）から格納アドレス１５ａ（図３）に格納されている「変化Ｎ＋２」と「変化Ｎ＋３」との間隔を表す間隔データ１５ｂ（図３）を読み出す。この「変化Ｎ＋２」と「変化Ｎ＋３」との間隔は、カウント値としてパルス間隔カウンタ１５−２（図３）に設定される。
以下同様の動作が繰り返されることになる。
【００４５】
以上説明した動作に関して以下の点に留意すべきである。
ファン駆動部７（図３）は、（ｃ）に於けるパルスのオン・オフ変化（電圧印加指令信号１５ｄ（図３））を受け入れる毎に放熱ファン８（図３）を駆動を開始したり停止したりする。即ち、（ｃ）に於いて、所定の時間内において、パルスオフ時間に対するパルスオン時間の比率が大きい場合には放熱ファンの風量は大きくなり、逆に上記比率が小さい場合には、放熱ファンの風量は小さくなる。即ち、パルス幅及び、間隔の異なるパルス列によって１／ｆゆらぎの周期成分に近似出来ることになる。
【００４６】
〈実施例２の効果〉
以上説明したように、１／ｆゆらぎの周期成分をパルス間隔のみならずパルス幅をも用いて近似しているので実施例１の効果に加えて、１／ｆゆらぎ特性ＲＯＭ１３のデータ容量を減らすことが出来るという効果を得る。
【実施例３】
【００４７】
〈実施例３の構成〉
図５は、実施例３のファン制御装置のブロック図である。
図に示すように実施例３のファン制御装置は、主制御部１と、制御ＲＯＭ２と、１／ｆゆらぎ特性ＲＯＭ２３と、ＲＡＭ４と、ファン駆動パルス生成部２５と、共通バス６と、ファン駆動部７とを備える。
【００４８】
１／ｆゆらぎ特性ＲＯＭ２３は、共通バス６に接続され、放熱ファン８の風量制御の制御特性となる１／ｆゆらぎ特性を、パルス幅と間隔が、それぞれ異なるパルス列で近似するためのパルス列生成データが格納されている読み出し専用メモリである。
【００４９】
その内部には、パルスがオン又はオフする毎に１個のアドレスが設定され、そのアドレスの内部には、「変化Ｎ」と「変化Ｎ＋１」との間隔（求めている今回のシステムクロック数であり以後「変化Ｎ＋１」のカウント値と記す）と、「変化Ｎ−１」と「変化Ｎ」との間隔（前回のシステムクロック数であり以後「変化Ｎ」のカウント値と記す）との差分（以後「変化Ｎ＋１」の差分値と記す）が間隔データ２５ｂとして格納されている。
【００５０】
従って、今回の設定値（「変化Ｎ＋１」のカウント値）は、前回の設定値（「変化Ｎ」のカウント値）に、今回読み出した間隔データ２５ｂ（「変化Ｎ＋１」の差分値）を加算して得られることになる。
【００５１】
ファン駆動パルス生成部２５は、共通バス６に接続され、１／ｆゆらぎ特性ＲＯＭ２３に格納されている上記パルス列の間隔データを読み出して、パルス列を生成し、電圧印加指令信号２５ｄとしてファン駆動部７へ送出する部分であり、その内部に間隔データリード部２５−１と、加算器２５−２と、パルス間隔レジスタ２５−３と、パルス間隔カウンタ１５−２と、ＯＮ／ＯＦＦ制御部１５−３とを有する。
【００５２】
間隔データリード部２５−１は、１／ｆゆらぎ特性ＲＯＭ２３に向けて、読み出すべきデータの格納アドレス２５ａを送出し、１／ｆゆらぎ特性ＲＯＭ２３から格納アドレス２５ａに格納されている間隔データ２５ｂを読み出して、加算器２５−２へ送出する部分である。
【００５３】
加算器２５−２は、パルス間隔レジスタ２５−３にセットされている前回の設定値（「変化Ｎ」のカウント値）に、今回読み出した間隔データ２５ｂ（「変化Ｎ＋１」の差分値）を加算して今回の設定値（「変化Ｎ＋１」のカウント値）を求め、この今回の設定値でパルス間隔レジスタ２５−３の値を設定し直す部分である。
【００５４】
パルス間隔レジスタ２５−３は、加算器２５−２から今回の設定値を受け入れて、パルス間隔カウンタ１５−２へそのカウント数を設定するとともに、このカウント数を保持するレジスタである。
パルス間隔カウンタ１５−２は、パルス間隔レジスタ２５−３によって設定された設定クロック数（パルス間隔）をシステムクロック周期経過毎に減算するタイマーカウンタである。又、設定されたクロック数（カウント値）に基づいてパルス列に於けるオン又はオフに変化する間隔を監視し、カウント値が０になるとトリガー信号１５ｃを間隔データリード部２５−１とＯＮ／ＯＦＦ制御部１５−３へ送出する部分でもある。
他の構成要素は、実施例１又は実施例２と全く同様なので説明を省略する。実施例１又は実施例２と同様な構成要素には、それぞれ同一の符号が付されている。
【００５５】
〈実施例３の動作〉
図６は、実施例３の動作説明図である。
（ａ）は、放熱ファンの風量変化を示す図であり、縦軸は放熱ファンの風量を、横軸は時刻を表している。この図に示されている曲線は、本実施例に於いて用いられる１／ｆゆらぎ周期成分に基づく放熱ファンの風量を表している。放熱ファンの風量をこの図のように制御すると、放熱ファンから発せられる風切り音も同様に変化する。従って、この風切り音を聞いても不快感を感じないことになる。
（ｂ）は、（ａ）の部分拡大図であり、（ｃ）は、（ｂ）に示す風量制御を行うためのパルス列（電圧印加指令信号２５ｄ（図５））の制御シーケンスを表す図である。
【００５６】
（ｃ）に従って実施例３の動作を説明する。
時刻ｔ１でパルス間隔カウンタ１５−２（図５）のカウント値が０になるとトリガー信号２５ｃ（図５）がＯＮ／ＯＦＦ制御部１５−３（図５）と間隔データリード部２５−１（図５）へ送出される。
ＯＮ／ＯＦＦ制御部１５−３（図５）は、トリガー信号２５ｃを受け入れると、該トリガー信号２５ｃに同期させてパルスをオンさせて、電圧印加指令信号２５ｄ（図５）をオフからオンさせる（「変化Ｎ」）。ファン駆動部７（図５）は、「変化Ｎ」を受け入れると放熱ファン８（図５）にファン駆動信号７ａ（図３）を送って放熱ファン８（図５）の駆動を開始する。
【００５７】
間隔データリード部２５−１（図５）は、トリガー信号２５ｃ（図５）を受け入れると、１／ｆゆらぎ特性ＲＯＭ２３（図５）に向けて、「変化Ｎ＋１」のデータが格納されている格納アドレス２５ａ（図５）を送出し、１／ｆゆらぎ特性ＲＯＭ２３（図５）から格納アドレス２５ａ（図５）に格納されている間隔データ２５ｂ（「変化Ｎ＋１」の差分値）を読み出して加算器２５−２へ送出する。加算器２５−２は、パルス間隔レジスタ２５−３（図５）から前回のカウント値（「変化Ｎ」のカウント値）を読み出して、間隔データ２５ｂ（「変化Ｎ＋１」の差分値）を加算し、今回のカウント値（「変化Ｎ＋１」のカウント値）を求め、パルス間隔レジスタ２５−３の値を設定し直す。パルス間隔レジスタ２５−３（図５）は、パルス間隔カウンタ１５−２（図５）に今回のカウント値（「変化Ｎ＋１」のカウント値）をセットする。
【００５８】
時刻ｔ２でパルス間隔カウンタ１５−２（図５）のカウント値が０になるとトリガー信号２５ｃ（図５）がＯＮ／ＯＦＦ制御部１５−３（図５）と間隔データリード部２５−１（図５）へ送出される。
ＯＮ／ＯＦＦ制御部１５−３（図５）は、トリガー信号２５ｃ（図５）を受け入れると、該トリガー信号２５ｃ（図５）に同期させてパルスをオフさせて、電圧印加指令信号２５ｄ（図５）をオンからオフさせる（「変化Ｎ＋１」）。ファン駆動部７（図５）は、「変化Ｎ＋１」を受け入れると放熱ファン８（図５）にファン駆動信号７ａ（図５）を送って放熱ファン８（図５）の駆動を停止する。
【００５９】
間隔データリード部２５−１（図５）は、トリガー信号２５ｃ（図５）を受け入れると、１／ｆゆらぎ特性ＲＯＭ２３（図５）に向けて、「変化Ｎ＋２」のデータが格納されている格納アドレス２５ａ（図５）を送出し、１／ｆゆらぎ特性ＲＯＭ２３（図５）から格納アドレス２５ａ（図５）に格納されている間隔データ２５ｂ（「変化Ｎ＋２」の差分値）を読み出して加算器２５−２へ送出する。加算器２５−２は、パルス間隔レジスタ２５−３（図５）から前回のカウント値（「変化Ｎ＋１」のカウント値）を読み出して、間隔データ２５ｂ（「変化Ｎ＋２」の差分値）を加算し、今回のカウント値（「変化Ｎ＋２」のカウント値）を求め、パルス間隔レジスタ２５−３（図５）の値を設定し直す。パルス間隔レジスタ２５−３（図５）は、パルス間隔カウンタ１５−２（図５）に今回のカウント値（「変化Ｎ＋２」のカウント値）をセットする。
【００６０】
時刻ｔ３でパルス間隔カウンタ１５−２（図５）のカウント値が０になるとトリガー信号２５ｃ（図５）がＯＮ／ＯＦＦ制御部１５−３（図５）と間隔データリード部２５−１（図５）へ送出される。
ＯＮ／ＯＦＦ制御部１５−３（図５）は、トリガー信号２５ｃ（図５）を受け入れると、該トリガー信号２５ｃ（図５）に同期させてパルスをオンさせて、「変化Ｎ＋２」電圧印加指令信号２５ｄ（図５）をオフからオンさせる（「変化Ｎ＋２」）。ファン駆動部７（図５）は、「変化Ｎ＋２」を受け入れると放熱ファン８（図５）にファン駆動信号７ａ（図５）を送って放熱ファン８（図５）の駆動を開始する。
【００６１】
間隔データリード部２５−１（図５）は、トリガー信号２５ｃ（図５）を受け入れると、１／ｆゆらぎ特性ＲＯＭ２３（図５）に向けて、「変化Ｎ＋３」のデータが格納されている格納アドレス２５ａ（図５）を送出し、１／ｆゆらぎ特性ＲＯＭ２３（図５）から格納アドレス２５ａ（図５）に格納されている間隔データ２５ｂ（「変化Ｎ＋３」の差分値）を読み出して加算器２５−２（図５）へ送出する。加算器２５−２は、パルス間隔レジスタ２５−３（図５）から前回のカウント値（「変化Ｎ＋２」のカウント値）を読み出して、間隔データ２５ｂ（「変化Ｎ＋３」の差分値）を加算し、今回のカウント値（「変化Ｎ＋２」のカウント値）を求め、パルス間隔レジスタ２５−３（図５）の値を設定し直す。パルス間隔レジスタ２５−３（図５）は、パルス間隔カウンタ１５−２に今回のカウント値（「変化Ｎ＋３」のカウント値）をセットする。
以下同様の動作が繰り返されることになる。
【００６２】
以上説明した動作に関して以下の点に留意すべきである。
ファン駆動部７（図６）は、（ｃ）に於けるパルス（電圧印加指令信号１５ｄ（図６））を受け入れる毎に放熱ファン８（図６）を駆動を開始したり停止したりする。即ち、（ｃ）に於いて、所定の時間内において、パルスオフ時間に対するパルスオン時間の比率が大きい場合には放熱ファンの風量は大きくなり、逆に上記比率が小さい場合には、放熱ファンの風量は小さくなる。即ち、パルス幅及び、間隔の異なるパルス列によって１／ｆゆらぎの周期成分を近似出来ることになる。
【００６３】
〈実施例３の効果〉
以上説明したように、１／ｆゆらぎ特性ＲＯＭ２３には、今回の設定値（「変化Ｎ＋１」のカウント値）と、前回の設定値（「変化Ｎ」のカウント値）の差を間隔データ２５ｂとして格納する事によって実施例２に比較し、より一層１／ｆゆらぎ特性ＲＯＭ２３のデータ容量を減らすことが出来るという効果を得る。
【実施例４】
【００６４】
〈実施例４の構成〉
図７は、実施例４のファン制御装置のブロック図である。
図に示すように実施例４のファン制御装置は、主制御部１と、制御ＲＯＭ２と、１／ｆゆらぎ特性ＲＯＭ３と、ＲＡＭ４と、ファン駆動パルス生成部３５と、装置内温度検出部３６と、共通バス６と、ファン駆動部７とを備える。
【００６５】
ファン駆動パルス生成部３５は、共通バス６に接続され、１／ｆゆらぎ特性ＲＯＭ３に格納されている上記パルス列の生成データを読み出し、更に、この生成データを装置内温度で補正した値でパルス列を生成し、電圧印加指令信号３５ｄとしてファン駆動部７へ送出する部分である。その内部に間隔データリード部５−１と、パルス間隔カウンタ５−２と、一定幅パルス生成部５−３と、補正値算出部３５−１と、加算器３５−２とを有する。
【００６６】
補正値算出部３５−１は、装置内温度検出部３６が検出した装置内温度に基づいて１／ｆゆらぎ特性ＲＯＭ３から読み出したパルス列の生成データを補正する補正値を算出する部分である。この補正値は、システムクロックのクロック数で表される。
【００６７】
加算器３５−２は、間隔データリード部５−１から受け入れたパルスの間隔を表す間隔データ５ｂと、補正値算出部３５−１から受け入れた装置内温度の変化に基づく風量補正値３５ａを加算してパルス間隔カウンタ５−２に設定する部分である。この風量補正値３５ａと間隔データ５ｂが加算された値は、システムクロックのクロック数で表されている（一例）。
装置内温度検出部３６は、装置内温度を検出する温度センサである。
その他の部分は、実施例１と同様なので説明を省略する。
【００６８】
〈実施例４の動作〉
図８は、実施例４の動作説明図である。
（ａ）は、放熱ファンの風量変化を示す図を一部拡大した図であり、実施例１の図２（ｂ）に該当する図である。縦軸は、放熱ファンの風量を、横軸は時刻を表している。この図に示されている曲線は、本実施例に於いて用いられる１／ｆゆらぎ周期成分に基づく放熱ファンの風量を表している。放熱ファンの風量をこの図のように制御すると、放熱ファンから発せられる風切り音も同様に変化する。従って、この風切り音を聞いても不快感を感じないことになる。
（ｂ）は、装置内温度の変化を表す図であり、（ｃ）は、温度補正後の放熱ファンの風量変化を表す図であり、（ｄ）は（ｃ）に示す風量制御を行うためのパルス列（電圧印加指令信号３５ｄ（図７））の制御シーケンスを表す図である。
【００６９】
（ｃ）に従って実施例４の動作を説明する。
時刻ｔ１でパルス間隔カウンタ５−２（図７）のカウント値が０になるとトリガー信号５ｃ（図７）が一定幅パルス生成部５−３（図７）と間隔データリード部５−１（図７）へ送出される。
一定幅パルス生成部５−３（図７）は、トリガー信号５ｃ（図７）を受け入れると、該トリガー信号５ｃ（図７）に同期させてパルス幅の等しいＮ番目のパルス（電圧印加指令信号３５ｄ（図７））をファン駆動部７（図７）へ送出する。ファン駆動部７（図７）は、Ｎ番目のパルスを受け入れると放熱ファン８（図７）に所定の時間、ファン駆動信号７ａ（図７）を送って放熱ファン８（図７）を駆動する。
【００７０】
間隔データリード部５−１（図７）は、トリガー信号５ｃ（図７）を受け入れると、１／ｆゆらぎ特性ＲＯＭ３（図７）に向けて、Ｎ＋１番目のパルスのデータが格納されている格納アドレス５ａ（図７）を送出し、１／ｆゆらぎ特性ＲＯＭ３（図７）から格納アドレス５ａ（図７）に格納されているパルスの間隔（Ｎ番目のパルスとＮ＋１番目のパルスとの間隔）を表す間隔データ５ｂを読み出して加算器３５−２（図７）へ送出する。このとき加算器３５−２（図７）は、補正値算出部３５−１（図７）から受け入れた、時刻ｔ１での装置内温度に基づく風量補正値Ｎｄ＋１を加算してパルス間隔カウンタ５−２に設定する。
【００７１】
時刻ｔ２でパルス間隔カウンタ５−２（図７）のカウント値が０になるとトリガー信号５ｃ（図７）が一定幅パルス生成部５−３（図７）と間隔データリード部５−１（図７）へ送出される。
一定幅パルス生成部５−３（図７）は、トリガー信号５ｃ（図７）を受け入れると、該トリガー信号５ｃ（図７）に同期させてパルス幅の等しいＮ＋１番目のパルス（電圧印加指令信号３５ｄ（図７））をファン駆動部７（図７）へ送出する。ファン駆動部７（図７）は、Ｎ＋１番目のパルスを受け入れると放熱ファン８（図７）に所定の時間、ファン駆動信号７ａ（図７）を送って放熱ファン８（図７）を駆動する。
【００７２】
間隔データリード部５−１（図７）は、トリガー信号５ｃ（図７）を受け入れると、１／ｆゆらぎ特性ＲＯＭ３（図７）に向けて、Ｎ＋２番目のパルスのデータが格納されている格納アドレス５ａ（図７）を送出し、１／ｆゆらぎ特性ＲＯＭ３（図７）から格納アドレス５ａ（図７）に格納されているパルスの間隔（Ｎ＋１番目のパルスとＮ＋２番目のパルスとの間隔）を表す間隔データ５ｂ（図７）を読み出して加算器３５−２（図７）へ送出する。このとき加算器３５−２（図７）は、補正値算出部３５−１（図７）から受け入れた、時刻ｔ２での装置内温度に基づく風量補正値Ｎｄ＋２を加算してパルス間隔カウンタ５−２（図７）に設定する。
【００７３】
時刻ｔ３でパルス間隔カウンタ５−２（図７）のカウント値が０になるとトリガー信号５ｃ（図７）が一定幅パルス生成部５−３（図７）と間隔データリード部５−１（図７）へ送出される。
一定幅パルス生成部５−３（図７）は、トリガー信号５ｃ（図７）を受け入れると、該トリガー信号５ｃ（図７）に同期させてパルス幅の等しいＮ＋２番目のパルス（電圧印加指令信号３５ｄ（図７））をファン駆動部７（図７）へ送出する。ファン駆動部７（図７）は、Ｎ＋２番目のパルスを受け入れると放熱ファン８（図７）に所定の時間、ファン駆動信号７ａ（図７）を送って放熱ファン８（図７）を駆動する。
【００７４】
間隔データリード部５−１（図７）は、トリガー信号５ｃ（図７）を受け入れると、１／ｆゆらぎ特性ＲＯＭ３（図７）に向けて、Ｎ＋３番目のパルスのデータが格納されている格納アドレス５ａ（図７）を送出し、１／ｆゆらぎ特性ＲＯＭ３（図７）から格納アドレス５ａ（図７）に格納されているパルスの間隔（Ｎ＋２番目のパルスとＮ＋３番目のパルスとの間隔）を表す間隔データ５ｂ（図７）を読み出して加算器３５−２（図７）へ送出する。このとき加算器３５−２（図７）は、補正値算出部３５−１（図７）から受け入れた、時刻ｔ３での装置内温度に基づく風量補正値Ｎｄ＋３を加算してパルス間隔カウンタ５−２（図７）に設定する。
以下同様の動作が繰り返されることになる。
【００７５】
以上説明した動作に関して以下の点に留意すべきである。
ファン駆動部７（図１）は、（ｃ）に於けるパルス（電圧印加指令信号５ｄ（図１））を受け入れる毎に所定の時間放熱ファン８（図１）を駆動することになる。即ち、（ｃ）に於けるパルス列のパルス間隔が短くなれば放熱ファンの風量は大きくなり、逆にパルス列の間隔（パルス間隔）が長くなれば放熱ファンの風量は小さくなる。
【００７６】
即ち、パルス列のパルス間隔を変化させることによって１／ｆゆらぎの周期成分に近似することが可能になる。又、風量補正値３５ａによってパルス列のパルス間隔が変更されるが、装置内温度は、急激に変化することはないので風量補正値３５ａによってパルス列のパルス間隔が変更されても１／ｆゆらぎの周期成分から大幅に外れることはない。従って、この風切り音を聞いても不快感を感じることはない。
尚、上記説明中において所定の時刻に於ける風量補正値３５ａ（図７）が負の場合には、加算器３５−２（図７）は、間隔データ５ｂ（図７）から風量補正値３５ａを減算して出力することは記すまでもない。
【００７７】
〈実施例４の効果〉
以上説明したように、本実施例では、装置内温度の変化を補正する風量補正値３５ａ（図７）を間隔データ５ｂ（図７）に加算する事によって定着温度を適正に維持することが出来るため、実施例１の効果に加えてより画像品質を向上させることが出来るという効果を得る。
【実施例５】
【００７８】
〈実施例５の構成〉
図９は、実施例５のファン制御装置のブロック図である。
図に示すように実施例５のファン制御装置は、主制御部１と、制御ＲＯＭ２と、１／ｆゆらぎ特性ＲＯＭ３と、ＲＡＭ４と、ファン駆動パルス生成部５と、共通バス６と、ファン駆動部４１−１、４１−２と、操作入力部４２と、セレクタ４３とを備える。
【００７９】
ファン駆動部４１−１、４１−２は、セレクタ４３から受け入れた電圧印加指令信号５ｄ、又は電圧印加指令信号１ａに基づいて、所定の時間、ファン駆動信号７ａを放熱ファン８へ送って放熱ファン８を駆動させる部分である。ここでは２個に限定しているが、この例に限定されるものでは無く、３個以上備えても良い。
【００８０】
セレクタ４３は、ファン駆動パルス生成部５から１／ｆゆらぎの周期成分を近似する電圧印加指令信号５ｄと、共通バス６を介して主制御部１からパルス幅及びパルス間隔とも等しい電圧印加指令信号１ａとを受け入れて、操作入力部４２の制御に基づいて選択した少なくとも１個のファン駆動部（例えば４１−１）へ電圧印加指令信号５ｄを送り、残りのファン駆動部（例えば４１−２）へ電圧印加指令信号１ａを送出する部分である。
【００８１】
操作入力部４２は、セレクタ４３を制御して複数個のファン駆動部（ここでは４１−１及び４１−２の２個）に電圧印加指令信号５ｄ、又は電圧印加指令信号１ａを選択して送出させるコントロールパネルである。
他の構成は、実施例１と同様なので説明を省略する。
【００８２】
〈実施例５の動作〉
操作者は、操作入力部４２を操作して複数個の放熱ファンの中から選択した放熱ファンに電圧印加指令信号５ｄを送出させ、残りの放熱ファンに電圧印加指令信号１ａを送出させる。
電圧印加指令信号５ｄを受け入れた放熱ファンは、１／ｆゆらぎ特性に近似された風量を出力し、電圧印加指令信号１ａを受け入れた放熱ファンは、時間変化のない一定風量を出力することになる。
【００８３】
〈実施例５の効果〉
以上説明したように、本実施例では、複数の放熱ファンを個々に１／ｆゆらぎ特性に近似した制御をすると、複数の電圧印加指令信号５ｄの同期がずれて、複数の放熱ファンから出力される風量の合計が１／ｆゆらぎ特性から外れるのを防止出来、更に、操作者が１／ｆゆらぎ特性に近似した制御をするファンを選択出来るので、操作者に最も近いファンを選択することによって、不快な騒音を感じにくくすることが出来るという効果を得る。
【実施例６】
【００８４】
〈実施例６の構成〉
実施例６のファン制御装置について、以下に構成と動作とを含めて説明する。
図１０は、実施例６のファン制御装置のブロック図である。
図に示すように実施例６のファン制御装置は、主制御部１と、制御ＲＯＭ２と、１／ｆゆらぎ特性ＲＯＭ３と、ＲＡＭ４と、ファン駆動パルス生成部５と、共通バス６と、ファン駆動部７と、放熱ファン電源部５１と、操作入力部５２と、セレクタ５３とを備える。
【００８５】
放熱ファン電源部５１は、電圧値の異なる複数個の電源電圧（一例としてＶ１、Ｖ２）を有し、セレクタ５３の制御によって選択された電圧値の電源電圧を放熱ファン８に印加する直流電源である。
操作入力部５２は、放熱ファン８に印加する電圧値（一例としてＶ１、Ｖ２）を操作者に選択させるコントロールパネルである。
セレクタ５３は、操作入力部５２の選択に基づいて所定の電圧値の電源電圧を放熱ファン８に印加する選択回路である。
他の構成要素は、実施例１の構成要素と同じなので説明を省略する。
【００８６】
操作者は、室温変化など、時間的変化の緩やかな要因に基づく装置内部の温度変化を関知したとき、操作入力部５２を操作して放熱ファン８に印加する直流電圧Ｖ１又はＶ２を適宜変更する。
【００８７】
〈実施例６の効果〉
以上説明したように、本実施例の制御回路では、放熱ファン８に印加する直流電圧を変更することが出来るので室温変化など、時間的変化の緩やかな要因に基づく装置内部の温度変化を簡単な構成で容易に補正出来るという効果を得る。
【図面の簡単な説明】
【００８８】
【図１】実施例１のファン制御装置のブロック図である。
【図２】実施例１の動作説明図である。
【図３】実施例２のファン制御装置のブロック図である。
【図４】実施例２の動作説明図である。
【図５】実施例３のファン制御装置のブロック図である。
【図６】実施例３の動作説明図である。
【図７】実施例４のファン制御装置のブロック図である。
【図８】実施例４の動作説明図である。
【図９】実施例５のファン制御装置のブロック図である。
【図１０】実施例６のファン制御装置のブロック図である。
【符号の説明】
【００８９】
１  主制御部
２  制御ＲＯＭ
３  １／ｆゆらぎ特性ＲＯＭ
４  ＲＡＭ
５  ファン駆動パルス生成部
５−１  間隔データリード部
５−２  パルス間隔カウンタ
５−３  一定幅パルス生成部
５ａ  格納アドレス
５ｂ  間隔データ
５ｃ  トリガー信号
５ｄ  電圧印加指令信号
６  共通バス
７  ファン駆動部（パルス信号出力部）
７ａ  ファン駆動信号
８  放熱ファン
【図１】
2005076540.tif 000003
【図２】
2005076540.tif 000004
【図３】
2005076540.tif 000005
【図４】
2005076540.tif 000006
【図５】
2005076540.tif 000007
【図６】
2005076540.tif 000008
【図７】
2005076540.tif 000009
【図８】
2005076540.tif 000010
【図９】
2005076540.tif 000011
【図１０】
2005076540.tif 000012